(57)【要約】【課題】手軽に、低コストで、かつ常に衛生的に利用可能な美容目的のフェイスマスクを提供する。【解決手段】フェイスマスク１は、未使用時に横長であり、使用時に縦方向に展開して縦長となるプリーツ構造を備えた本体部１１と、本体部１１の一方の側端部から他方の側端部を結ぶように一周する上下２本の固定紐１２と、使用時にユーザの鼻および口のあたりにドーム状の空間を確保するようにユーザにより整形可能な形状維持ワイヤー１３Ｍと、上方向に展開された本体部１１の上側端部をユーザの額に固定するためにユーザにより整形可能な形状維持ワイヤー１３Ｕとを備えている。ユーザは美容液を顔面に塗布した後、固定紐１２により本体部１１を顔面上に固定した上で形状維持ワイヤー１３Ｍを整形し就寝中の呼吸のための空間を維持し、本体部１１のプリーツ構造を上下方向に展開することにより、本体部１１で顔面のほぼ全体を覆う。【選択図】図１
2012120709.tif 000002
【特許請求の範囲】
【請求項１】
ユーザの顔面上に装着されるフェイスマスクであって、
装着時において、ユーザの額と顎との間の長さを長軸とし、当該ユーザの右頬骨と左頬骨との間の長さを短軸とする楕円の領域を少なくとも覆う通気性を有するシート状部材である本体部と、
装着時において、前記本体部のユーザの鼻および口の少なくとも一方を覆う部分とユーザの顔面との間に空間を確保するために、前記本体部のユーザの鼻または口を覆う部分もしくは当該部分の周辺部分に少なくとも一部が配置され、ユーザの指先を用いた整形作業に応じてユーザが望む形状に整形され当該整形後の形状を維持する柔軟性部材である形状維持部と、
前記本体部の縁部の一の位置から前記一の位置とは異なる他の位置に至る環状体を形成するように前記本体部の外側に延伸し、ユーザの耳後方部または頭後方部に係止されることにより前記本体部をユーザの顔面上に固定する固定部と、
を備え、
前記本体部は、非装着時において前記長軸方向の長さが前記短軸の長さより短くなるように、稜線が前記短軸の方向となるプリーツまたはギャザーに加工した平面状のシート状部材である
フェイスマスク。
【請求項２】
前記形状維持部は、装着時において、展開された前記本体部の額側の端部をユーザの額に固定するための柔軟性部材を、前記空間を確保するための柔軟性部材と一体もしくは別体として有する
請求項１に記載のフェイスマスク。
【請求項３】
前記本体部の少なくとも一部は不織布を素材としている
請求項１または２に記載のフェイスマスク。
【請求項４】
前記本体部の少なくとも一部はガーゼを素材としている
請求項３に記載のフェイスマスク。
【請求項５】
前記本体部のユーザの鼻および口の少なくとも一方を覆う部分の通気性が、前記本体部の当該部分以外の部分の通気性よりも高い
請求項１乃至４のいずれかに記載のフェイスマスク。
【発明の詳細な説明】
【技術分野】
【０００１】
本発明は、美容のためのフェイスマスクに関する。
【背景技術】
【０００２】
顔面を美しく保つために、様々な美容液が製造・販売されている。それらの美容液の多くは、その有効成分が長い時間、顔面上に維持され、ユーザの皮膚内に浸透していくことにより、高い美容効果を導くことができる。
【０００３】
美容効果を高める目的で、いわゆる美容パックと呼ばれる美容具がある。美容パックは通常、目、鼻、口の部分を切り抜いた概ね楕円形状の保液シートに美容液を染み込ませたものであり、その保液シートを顔面上に載せた状態で長時間（例えば１時間程度）を過ごすことで、美容液を顔面上に確実に維持することができ、高い美容効果が得られる、というものである。
【０００４】
ただし、美容パックの多くは予めメーカーにより選定された美容液が染み込まされているため、ユーザが自分の肌に合った美容液を利用できない、という不便さがある。また、保液シートは一般的に高価であるため、美容パックの価格も一般的に高価である。さらに、美容パックの装着中はユーザの行動が制限される、という不便さもある。美容パックには比較的短時間で美容効果をもたらすように、一般的に美容液が多量に染み込まされているため、例えばユーザが美容パックを装着した状態で就寝すると、美容パックから染み出した美容液が寝具を汚す、といった問題が生じる。
【０００５】
これらの美容パックの問題を解消する方法として、顔面のほぼ全体を覆うフェイスマスクを就寝時に利用する方法が提案されている。例えば、特許文献１には、縦横方向にナイロン製の補強芯が配置され顔面を立体的に覆うように成形されたフェイスマスクが提案されている。
【０００６】
特許文献１に提案されているフェイスマスクによれば、ユーザは好みの美容液を顔面に塗布した後、フェイスマスクを顔面上に装着して就寝することにより、就寝時間中、塗布した美容液が顔の皮膚上に維持され、高い美容効果を得ることができるとともに、美容液がフェイスマスクによりカバーされ寝具に付くおそれが少なく、またユーザの呼気に含まれる水分がフェイスマスクと顔面との間に滞留することで顔面の保湿が行われる、といった効果も得られる。
【先行技術文献】
【特許文献】
【０００７】
【特許文献１】特開２０１０−１３７０３６
【発明の概要】
【発明が解決しようとする課題】
【０００８】
一度使用されたフェイスマスクの内側面には肌からの分泌物が付着し、細菌等の繁殖やダスト等の付着が促され、不衛生となる。特に宇美容液を塗布した顔面に使用された場合、フェイスマスクには古い美容液が付着するため、より不衛生となりやすい。
【０００９】
一方、顔面全体を覆うフェイスマスクは敏感な顔の肌に直接触れるだけでなく、目、口、鼻といった粘膜を持った部分を覆うため、使用時には汚れや細菌等による汚染ができるだけ少ないことが望ましい。
【００１０】
フェイスマスクを衛生的に保つ、すなわち細菌やダスト等の汚染のない状態に保つには、使用済みのフェイスマスクを洗浄および殺菌するか、使い捨てとするか、いずれかの方法が考えられる。例えば、特許文献１において提案されているフェイスマスクは、使用済みのフェイスマスクを洗浄により繰り返し使用可能とするように、ガーゼによりその本体が製造される。
【００１１】
ただし、フェイスマスクを洗浄して汚れの除去を行うことは手間であるだけでなく、十分な汚れの除去が難しい場合も多い。さらに、細菌等の除去には、オゾンやアルコール等の化学物質を用いた殺菌作業など、さらに別途作業が必要であり、それには手間とコストがかかる。
【００１２】
上記の事情に鑑み、本発明は、手軽に、低コストで、かつ常に衛生的に利用可能な美容目的のフェイスマスクを提供することを目的とする。
【課題を解決するための手段】
【００１３】
本発明は、
ユーザの顔面上に装着されるフェイスマスクであって、
装着時において、ユーザの額と顎との間の長さを長軸とし、当該ユーザの右頬骨と左頬骨との間の長さを短軸とする楕円の領域を少なくとも覆う通気性を有するシート状部材である本体部と、
装着時において、前記本体部のユーザの鼻および口の少なくとも一方を覆う部分とユーザの顔面との間に空間を確保するために、前記本体部のユーザの鼻または口を覆う部分もしくは当該部分の周辺部分に少なくとも一部が配置され、ユーザの指先を用いた整形作業に応じてユーザが望む形状に整形され当該整形後の形状を維持する柔軟性部材である形状維持部と、
前記本体部の縁部の一の位置から前記一の位置とは異なる他の位置に至る環状体を形成するように前記本体部の外側に延伸し、ユーザの耳後方部または頭後方部に係止されることにより前記本体部をユーザの顔面上に固定する固定部と、
を備え、
前記本体部は、非装着時において前記長軸方向の長さが前記短軸の長さより短くなるように、稜線が前記短軸の方向となるプリーツまたはギャザーに加工した平面状のシート状部材である
フェイスマスク
を提供する（第１の実施態様）。
【００１４】
また、上記の第１の実施態様において、
前記形状維持部は、装着時において、展開された前記本体部の額側の端部をユーザの額に固定するための柔軟性部材を、前記空間を確保するための柔軟性部材と一体もしくは別体として有する
構成が採用されてもよい（第２の実施態様）。
【００１５】
また、上記の第１または第２の実施態様において、
前記本体部の少なくとも一部は不織布を素材としている
構成が採用されてもよい（第３の実施態様）。
【００１６】
また、上記の第３の実施態様において、
前記本体部の少なくとも一部はガーゼを素材としている
構成が採用されてもよい（第４の実施態様）。
【００１７】
また、上記の第１乃至第４のいずれかの実施態様において、
前記本体部のユーザの鼻および口の少なくとも一方を覆う部分の通気性が、前記本体部の当該部分以外の部分の通気性よりも高い
構成が採用されてもよい（第５の実施態様）。
【発明の効果】
【００１８】
上記の第１の実施態様によれば、平面状のシート状部材を用いて、コンパクトで、使い捨て可能かつ安価なほぼ顔全体を覆うフェイスマスクが実現される。また、形状維持部により鼻もしくは口にフェイスマスクの本体が密着しないように、ユーザが簡単にフェイスマスクの立体形状を整形することができるため、就寝中に息苦しくなる問題も回避される。
【００１９】
上記の第２の実施態様によれば、装着時に、プリーツまたはギャザーを伸ばすようにフェイスマスクの本体部が展開された状態が、額側の端部を額に固定するように働く柔軟性部材により維持されるため、使用中にフェイスマスクが縮まって顔の額側がフェイスマスクからはみ出してしまう、という不都合が回避される。
【００２０】
上記の第３の実施態様によれば、加工がしやすく軽薄な割に水分やダスト等のフィルタリング能力の高い不織布がその材料として用いられるため、嵩張らず安価なフェイスマスクが提供される。
【００２１】
上記の第４の実施態様によれば、フィルタリング能力の高い不織布に加え、保湿能力の高いガーゼがその材料として用いられるため、それらの能力を兼ね備えたフェイスマスクが提供される。
【００２２】
上記の第５の実施態様によれば、鼻もしくは口にあたる部分が他の部分より高い通気性を有するため、全体としてのフィルタリング能力や保湿能力を高く維持しつつ、息苦しさの少ないフェイスマスクが提供される。
【図面の簡単な説明】
【００２３】
【図１】図１は、本発明の一実施形態にかかるフェイスマスクの未使用時における正面図である。
【図２】図２は、本発明の一実施形態にかかるフェイスマスクの未使用時における断面図である。
【図３】図３は、本発明の一実施形態にかかるフェイスマスクの装着時における正面図である。
【図４】図４は、本発明の変形例にかかるフェイスマスクの形状維持ワイヤーの配置を示した図である。
【図５】図５は、本発明の変形例にかかるフェイスマスクにおける通気性の異なる領域を示した図である。
【発明を実施するための形態】
【００２４】
（実施形態）
以下、本発明の一具体例である実施形態を、図面を用いて説明する。図１は、本実施形態にかかるフェイスマスク１を、装着時の顔面に接する側と反対側から見た場合の概略図である。フェイスマスク１は主に不織布を素材として製造された顔全体を覆うプリーツ構造のフェイスマスクであり、就寝時に例えば美容液を塗布した状態の顔全体を覆うように装着されて、美容液が寝具に付着するのを防ぐとともに、外部の汚れ等が顔に付着するのを防止し、さらにユーザの呼気に含まれる水分で顔全体を保湿することにより、美容効果を高めるために利用される。
【００２５】
フェイスマスク１は、ユーザの顔の概ね全体を覆うシート状部材である本体部１１と、本体部１１をユーザの顔面上に固定するためのゴム紐である固定紐１２Ｕ（装着時の上側の紐）および固定紐１２Ｌ（装着時の下側の紐）と、本体部１１の概ね鼻にあたる部分と額にあたる部分の形状をユーザが自分の顔の形・サイズに合わせて立体的に整形するためのワイヤーである形状維持ワイヤー１３Ｍおよび形状維持ワイヤー１３Ｕを備えている。
【００２６】
本体部１１は、平面状の不織布を２枚重ねて層としたものを、山折り位置から谷折り位置までの長さに対し、谷折り位置から山折り位置までの長さが例えば２倍となるように、山折りと谷折りを交互に行い、その状態で周辺部を熱溶着により固着したプリーツ構造を備えている。プリーツ構造の稜線、すなわち山折りおよび谷折りの折り目は装着時の横方向である。なお、本体部１１の周辺部は本体部１１の全体の形状を維持するため、また熱溶着の強度を確保するため、例えば２層の不織布が１センチメートルほど折り返され、計４層となった状態で熱溶着されている。
【００２７】
また、本体部１１のほぼ中央に横方向に配置されている形状維持ワイヤー１３Ｍの上下で、プリーツ構造の向きが逆となるように折り目が付けられている。図２は、フェイスマスク１を図１の左右方向のほぼ中央を上下方向に切断した場合の断面図を模式的に示した図である。なお、図２における左側が装着時においてユーザの顔面に接する側である。
【００２８】
図２に示されるように、形状維持ワイヤー１３Ｍの下側においては、正面から見て、例えば形状維持ワイヤー１３Ｍの位置から２センチメートルほどの位置に第１の山折り、第１の山折りから１センチメートルほどの位置に第１の谷折り、第１の谷折りから２センチメートルほどの位置に第２の山折り、第２の山折りから１センチメートルほどの位置に第２の谷折り、・・・のように、折り目がつけられ、山の頂上が下に向くようなプリーツ構造となっている。一方、形状維持ワイヤー１３Ｍの上側においては、プリーツ構造がちょうど形状維持ワイヤー１３Ｍを対称軸として上述の形状維持ワイヤー１３Ｍより下側の構造と線対称となっている。このような構造により、フェイスマスク１は、ほぼ鼻の位置に配置される形状維持ワイヤー１３Ｍを中心に、顔の湾曲に沿った方向（図２において矢印で示す方向）にプリーツ状に折り畳まれた本体部１１を展開しやすくなっている。
【００２９】
図１に示されるように、本体部１１はプリーツ構造が展開されない状態、すなわち非装着（未使用）の状態において、横方向（装着時における顔の左右方向）の長さはほぼ、一般的なユーザの顔の左右方向の長さであるが、縦方向（装着時における顔の上下方向）の長さは一般的なユーザの顔の上下方向の長さより短く、全体として横長（すなわち、縦方向の長さが横方向の長さよりも短い）となっている。
【００３０】
固定紐１２Ｕおよび固定紐１２Ｌ（以下、これらを区別する必要がない場合、単に固定紐１２という）は、本体部１１の装着時における右側方の端部と左側方の端部とをつないで一周するように、本体部１１の縁部に取り付けられたゴム紐である。固定紐１２の長さは、一般的なユーザの頭側部一周の長さから本体部１１の横方向の長さを差し引いた長さより固定紐１２の弾力性に応じた割合だけ短い長さ（例えば２割ほど短い長さ）である。ユーザの右側頭部、後頭部、左側頭部を一周するように固定紐１２がユーザの頭に掛けられ、その弾力により本体部１１をユーザの後頭部方向に引っ張ることにより、本体部１１がユーザの顔面上に押圧され固定される。
【００３１】
なお、固定紐１２は、例えば本体部１１を構成する２枚の不織布がその周辺部において熱溶着される際に、それら２枚の不織布の間にその端部が挟み込まれた状態で熱溶着されることにより、本体部１１に連結されている。
【００３２】
形状維持ワイヤー１３Ｍは、０．３ミリメートルほどの直径のステンレス・ワイヤーを３ミリメートルほどの幅の２枚のビニル帯で上下方向に挟んで熱溶着して作られた、いわゆるビニタイを、本体部１１の上下方向のほぼ中央位置を左右方向に横切るように配置したもので、ユーザがフェイスマスク１の装着時に本体部１１が鼻の上にドーム形状をなすように、その形を整形することで、鼻および口と本体部１１との間に２センチメートルほどの空間を確保することを可能とする。
【００３３】
形状維持ワイヤー１３Ｕは、形状維持ワイヤー１３Ｍの素材と同じ素材を、本体部１１の上側縁部に沿う方向に配置したもので、ユーザがフェイスマスク１の装着時に本体部１１の上側のプリーツ構造を展開し、その上側縁部を額の形状に沿うようにその形を整形することで、その上側端部が額の位置に固定され、本体部１１がそのプリーツ構造を閉じるように縮むことを防ぐ役割を果たす。
【００３４】
なお、形状維持ワイヤー１３Ｍは、例えば本体部１１を構成する２枚の不織布がその周辺部において熱溶着される際に、本体部１１を左右方向に横断するようにそれら２枚の不織布の間に挟み込まれた状態で、その周囲が熱溶着されることにより、本体部１１の所定位置に固定されている。
【００３５】
同様に、形状維持ワイヤー１３Ｕは、例えば本体部１１を構成する２枚の不織布がその周辺部において熱溶着される際に、本体部１１の上側縁部においてそれら２枚の不織布の間に挟み込まれた状態で、その周囲が熱溶着されることにより、本体部１１の所定位置に固定されている。
【００３６】
なお、例えば、本体部１１の上側パーツと下側パーツを各々、個別の２層の不織布により作り、それらを形状維持ワイヤー１３Ｍの位置において例えば１センチメートルほど重ねて計４層とした上で、それら４層の間（例えば、２層と２層との間）に形状維持ワイヤー１３を配置した状態で、形状維持ワイヤー１３の周囲を熱溶着することにより、形状維持ワイヤー１３の本体部１１に対する固定とともに、本体部１１の上側パーツと下側パーツの繋ぎ合わせが行われてもよい。その場合、形状維持ワイヤー１３Ｍの配置位置周辺における本体部１１が４層となるため、本体部１１に対する固定の強度を十分に確保することができる。
【００３７】
上述したような構造を備えたフェイスマスク１を使用する場合、ユーザはまず、本体部１１の裏面を顔面に押し当てた状態で、固定紐１２Ｌおよび固定紐１２Ｕを後頭部の方に引っ掛け、本体部１１を顔面に仮固定する。続いて、ユーザは鼻および口のあたりにドーム状の空間を作るように形状維持ワイヤー１３Ｍを整形する。
【００３８】
続いて、ユーザは例えば左手を用いて、鼻のあたりに本体部１１の形状維持ワイヤー１３付近を固定するように押さえながら、右手を用いて、本体部１１の下側縁部を摘んで顎の方に引き下げ、その下側縁部を顎に引っ掛けるようにして固定する。
【００３９】
続いて、ユーザは、左手による鼻のあたりにおける本体部１１の固定を維持したまま、右手を用いて、本体部１１の上側縁部を摘んで額の方に引き上げ、その上側縁部が額に引っ掛かるように、形状維持ワイヤー１３Ｕを額の湾曲に沿うように整形する。例えば、額の湾曲よりやや半径の小さい湾曲を描くように形状維持ワイヤー１３Ｕを整形することにより、形状維持ワイヤー１３Ｕが額を締め付け、形状維持ワイヤー１３Ｕによる本体部１１の上側端部の額に対する固定が行われる。
【００４０】
図３は、上記のようにフェイスマスク１の展開が行われ、本体部１１がユーザの顔面のほぼ全面を覆う状態となった様子を模式的に示した図である。図３に示されるように、装着時（使用時）における本体部１１はプリーズ構造が展開され、全体として縦長（すなわち、縦方向の長さが横方向の長さより長い）となっている。より具体的に言えば、このように展開された状態で、本体部１１の縦方向の長さはユーザの額と顎との間の長さ以上であり、横方向の長さはユーザの右頬骨と左頬骨との間の長さ以上である。それにより、ユーザの顔面のほぼ全面を覆うことになる。
【００４１】
以上説明したフェイスマスク１によれば、ユーザは就寝前に自分に適した美容液を顔面に塗布した後、フェイスマスク１を顔面上に装着することで、手軽に美容効果を高めることができる。その際、フェイスマスク１により美容液が寝具を汚したり、外部の汚れが美容液の塗布された顔面に付いたりする不都合が回避される。また、ユーザの顔面から蒸発する水分およびユーザの呼気に含まれる水分がフェイスマスク１と顔面との間に滞留し、顔面に対する保湿を行う。
【００４２】
また、フェイスマスク１は所定位置でプリーツ状に折り畳んだ２層の不織布に、所定長さに切った２本のゴム紐および所定長さに切った２本のビニタイを所定位置に各々配置した状態で熱溶着することにより製造され、全体として材料および製造のコストが安価であるため、使い捨てにより洗浄・殺菌等の手間や費用を要することなく、使用時における衛生状態を常に良好に保つことができる。また、軽薄コンパクトであるため、例えば旅行時に複数枚を持ち運ぶ必要が生じた場合においても、さほど邪魔にならない。
【００４３】
なお、フェイスマスク１はプリーツ構造を採用することにより、例えば予め立体構造に成形されたフェイスマスクと比べ、一般的にその製造コストが安くすむだけでなく、未使用時には平面状となり邪魔になりにくい。それに加え、より重要な点は、フェイスマスク１によれば、使用時にプリーツの襞が完全に平面に展開することはないため、仮に形状維持ワイヤー１３Ｍの整形により鼻および口の周りに十分な空間が確保できなくても、必ず谷部と山部との間に空間が確保される。そのため、ユーザが使用時に息苦しさを感じる可能性が低減される。
【００４４】
（変形例）
上述した実施形態は、本発明の技術的思想の範囲内において様々に変形が可能である。以下にそれらの変形の例を示す。
【００４５】
上述したフェイスマスク１においては、本体部１１の上下方向の概ね中央位置に左右方向に横切るように形状維持ワイヤー１３Ｍが、また本体部１１の上縁部に沿って概ね左右方向に横切るように形状維持ワイヤー１３Ｕが配置されるものとしたが、それらに変えて、（１）鼻および口の少なくとも一方を覆う領域において本体部１１と顔面との間に空間を維持するように本体部１１の形状をユーザが整形可能であり、（２）展開した本体部１１が使用中に顔全体を覆う状態を維持するようにユーザが整形可能であれば、本体部１１の如何なる位置および方向に形状維持ワイヤーが配置されてもよい。
【００４６】
図４は、本体部１１に対する形状維持ワイヤーの配置の変形の例を示した図である。なお、図４においては図を簡略化し、本体部１１の輪郭および形状維持ワイヤーの配置を示す線のみを示している。
【００４７】
図４（ａ）は、フェイスマスク１が備える形状維持ワイヤー１３Ｍおよび形状維持ワイヤー１３Ｕに加え、本体部１１の下縁部に沿って概ね左右方向に横切るように形状維持ワイヤー１３Ｌを追加した変形例を示した図である。形状維持ワイヤー１３Ｌはユーザにより顎に沿うように整形され、本体部１１の下側端部を顎にしっかりと固定する役割を果たす。
【００４８】
図４（ｂ）は、フェイスマスク１が備える形状維持ワイヤー１３Ｍに代えて、形状維持ワイヤー１３ＭＵおよび形状維持ワイヤー１３ＭＬの２本の形状維持ワイヤー１３を上下方向のほぼ中央位置において左右方向に横切るように平行に配置した変形例を示した図である。鼻および口のあたりに空間を維持する形状維持ワイヤー１３が２本となっていることにより、ユーザはより広い呼吸のための空間を維持するように形状維持ワイヤー１３の整形を行うことができる。
【００４９】
図４（ｃ）は、フェイスマスク１が備える形状維持ワイヤー１３Ｍおよび形状維持ワイヤー１３Ｕに代えて、「Ｘ」字状に形状維持ワイヤー１３Ａおよび形状維持ワイヤー１３Ｂを配置した変形例を示した図である。「Ｘ」字のほぼ中央の交差点付近において、鼻もしくは口のあたりに空間を維持するための整形が行われる。また、本体部１１の上下方向の展開に伴い、「Ｘ」字が縦方向に細長くなるように、形状維持ワイヤー１３Ａおよび形状維持ワイヤー１３Ｂの角度が変わる。その状態で、形状維持ワイヤー１３Ａおよび形状維持ワイヤー１３Ｂの上側端部がユーザの額に、また下側の端部がユーザの顎に沿うように整形されることで、本体部１１の展開が維持される。
【００５０】
図４（ｄ）は、フェイスマスク１が備える形状維持ワイヤー１３Ｍに代えて、左右方向のほぼ中央位置に上下方向に概ね平行となるように２本の形状維持ワイヤー１３Ｒおよび形状維持ワイヤー１３Ｌを配置した変形例を示した図である。形状維持ワイヤー１３Ｒおよび形状維持ワイヤー１３Ｌは各々、例えば本体部１１の２層の不織布に挟まれる形で周囲を熱溶着された縦に細長い袋の中に、形状維持ワイヤー１３Ｒおよび形状維持ワイヤー１３Ｌの中央部が本体部１１に固定された状態で配置されており、本体部１１の上下方向の展開に伴いその袋のプリーツも展開することにより、形状維持ワイヤー１３Ｒおよび形状維持ワイヤー１３Ｌの位置は本体部１１の上下方向の概ね中央位置を維持しながら、本体部１１の展開を妨げないような構造となっている。ユーザはこれら２本の形状維持ワイヤー１３Ｒおよび形状維持ワイヤー１３Ｌを整形することにより、鼻および口のあたりに空間を維持することができる。
【００５１】
図４（ｅ）は、フェイスマスク１が備える形状維持ワイヤー１３Ｍおよび形状維持ワイヤー１３Ｕに代えて、装着時の概ね右頬および左頬を取り囲むように、上底が鼻方向、下底が耳方向を向くように配置された左右対称の台形の下底以外の３辺を構成するように２度屈曲された形状維持ワイヤー１３Ｒおよび形状維持ワイヤー１３Ｌが配置された変形例を示した図である。形状維持ワイヤー１３Ｒおよび形状維持ワイヤー１３Ｌは、本体部１１の上下方向の展開に伴い、台形の側辺にあたる部分が上底に対しその角度を広げるように移動し、全体として縦長に変形する。その状態で形状維持ワイヤー１３Ｒおよび形状維持ワイヤー１３Ｌの上側端部がユーザの額に、また下側の端部がユーザの顎に沿うように整形されることで、本体部１１の展開が維持される。また、形状維持ワイヤー１３Ｒおよび形状維持ワイヤー１３Ｌの台形の上底にあたる部分が整形されることにより、鼻および口のあたりに空間が維持される。
【００５２】
図４（ｆ）は、フェイスマスク１が備える形状維持ワイヤー１３Ｍに代えて、鼻および口のあたりを取り囲むように楕円形状に湾曲された形状維持ワイヤー１３Ｍが本体部１１のほぼ中央位置に配置された変形例を示した図である。この変形例における形状維持ワイヤー１３Ｍもまたユーザにより整形され、鼻および口のあたりに空間を維持する役割を果たす。
【００５３】
以上、形状維持ワイヤー１３の配置に関し６種類の変形例を述べたが、これら以外にも形状維持ワイヤー１３の配置に関する様々な変形例があり得ることは言うまでもない。
【００５４】
上述したフェイスマスク１においては、鼻および口のあたりに空間を維持するため、また本体部１１の上側端部を額に固定するための形状維持部材として、ビニタイが用いられるものとしたが、ビニタイに代えて、他の種類のワイヤー（例えば、ステンレスや他の金属の針金の周りを円筒状の樹脂で被覆したものなど）が用いられてもよいし、いわゆる金属を用いたワイヤーではなく、ユーザの指先の整形作業により容易に整形可能であり、整形後の形状を維持する柔軟性を備えた樹脂性の棒状体や板状体がビニタイに代えて、形状維持ワイヤー１３の素材として用いられてもよい。例えば樹脂製の形状維持ワイヤー１３が採用される場合、例えば図４（ｅ）で示した変形例における形状維持ワイヤー１３Ｒおよび形状維持ワイヤー１３Ｌや、図４（ｆ）で示した変形例における形状維持ワイヤー１３Ｍのように形状維持ワイヤー１３の形状が複雑な場合であっても、形状維持ワイヤー１３を比較的容易かつ安価に製造することができる。
【００５５】
また、上述したフェイスマスク１においては、本体部１１の全体において特に通気性が変わることはないが、本体部１１の鼻および口の少なくとも一方を覆う部分に関する通気性が、その部分以外の本体部１１における通気性より高くなるように、本体部１１の中央の領域と本体部１１の周囲の領域において異なる構造が採用されてもよい。そのような構造が採用されると、装着時におけるユーザの息苦しさがより軽減される。図５は、そのような変形例を説明するための図である。
【００５６】
図５において、本体部１１の鼻および口のあたりを覆う領域は中央領域１１１Ｍ、それ以外の領域は周辺領域１１１Ｓとして示されている。一変形例において、周辺領域１１１Ｓは上述したフェイスマスク１と同様に、２層の不織布で構成されるが、中央領域１１１Ｍは１枚の不織布のみで構成される。より具体的には、装着時の顔に接する側の不織布は本体部１１の全領域を覆うが、顔に接さない側の不織布は中央領域１１１Ｍの領域がくり抜かれている。
【００５７】
また、他の変形例において、中央領域１１１Ｍにおいては例えば１ミリメートルほどの直径の小さい孔が例えば３ミリメートル間隔の格子点上に空けられている。これにより、中央領域１１１Ｍにおける通気性が周辺領域１１１Ｓにおける通気性よりも高くなっている。
【００５８】
また、さらに他の変形例において、中央領域１１１Ｍにおいては、不織布に代えてガーゼが用いられる。すなわち、周辺領域１１１Ｓを覆う不織布に中央領域１１１Ｍを覆うガーゼが縫製等により連結された構造が採用されている。ガーゼは一般的に同じ重量の不織布より通気性が高い。従って、中央領域１１１Ｍにガーゼを用いることにより、中央領域１１１Ｍにおける通気性が周辺領域１１１Ｓにおける通気性よりも高くなっている。
【００５９】
以上、中央領域１１１Ｍにおける通気性を周辺領域１１１Ｓにおける通気性より高くするための構成に関し３種類の変形例を述べたが、これら以外にも通気性を変化させる様々な変形例があり得ることは言うまでもない。
【００６０】
上述したフェイスマスク１においては、本体部１１は２層の不織布により構成されるものとしたが、本体部１１の素材として、不織布に加え、ガーゼが用いられてもよい。ガーゼは水分を吸収するため、不織布と比べ保湿性能に優れている。一方、不織布はガーゼに比べ、その目が細かく、ダストや花粉といった物をフィルタリングする性能において優れている。従って、例えば顔面に接する側の層にガーゼを用い、顔面に接しない外側の層に不織布を用いることにより、フィルタリング性能と保湿性能の両方に優れたフェイスマスクを構成することができる。そのような構成のフェイスマスクもまた、本発明の技術的思想の範囲に入る。
【００６１】
上述したフェイスマスク１においては、本体部１１がプリーツ構造を備えるものとしたが、プリーツ構造に代えて、本体部１１がギャザー構造を備える構成が採用されてもよい。すなわち、本体部１１を山折り、谷折り、の順に順次折り目を付けて折り畳むことなく、本体部１１の左側端部および右側端部を上下方向に縮めた状態で熱溶着もしくは縫製により固定するのみの加工を施す。その結果、縦方向に切断した断面において本体部１１が波形状を描くように襞をなす。そのように形成されるギャザー構造もまたユーザにより上下方向に引っ張られると展開し、プリーツ構造と同様の効果をもたらす。
【００６２】
上述したフェイスマスク１においては、固定紐１２は装着時に右側頭部、後頭部および左側頭部をぐるりと一周するように、本体部１１の右側端部と左側端部をつなぐように配置されていたが、固定紐１２の配置はそれに限られない。例えば、そのような一変形例において、固定紐１２は本体部１１の右側端部の上から下に向けて輪をなすように、また本体部１１の左側側部の上から下に向けて輪をなすように、左右各々１本が配置される。その場合、ユーザは右側の固定紐１２を右耳に、左側の固定紐１２を左耳に引っ掛けることにより、本体部１１を顔面上に固定することになる。
【００６３】
また、固定紐１２の素材はゴム紐であるものとしたが、それに限られない。例えば、ゴム紐の代わりに、伸縮性に乏しい通常の紐を本体部１１の右側端部から１本、左側端部から１本伸びるように取り付け、それらを後頭部において適当な長さで互いに結ぶことにより、本体部１１の固定を可能としてもよい。
【００６４】
さらに、固定紐１２は本体部１１を顔面上に固定する固定部材の一例であって、例えば本体部１１の縁部の裏面に身体に害の少ない接着剤を塗布し、顔面に本体部１１を貼り付けるなど、他の様々な構成が採用され得る。
【００６５】
なお、上述のフェイスマスク１の説明において示した具体的な素材、数、形状等は例示であって、本発明の技術的範囲を限定するものではない。例えば、本体部１１は２層の不織布で構成されるものとしたが、不織布の枚数は任意に変更可能であり、１枚のみ、もしくは３層以上の層構造が採用されてもよい。また、図１等におけるプリーツの数やそのサイズもまた、様々に変更可能である。
【産業上の利用可能性】
【００６６】
本発明にかかるフェイスマスクは、量産が可能であり、顔の美容に関心のあるあらゆる消費者にとって利用可能であるため、製造業および卸売り・小売りといったサービス業において利用可能である。
【符号の説明】
【００６７】
１…フェイスマスク、１１…本体部、１２…固定紐、１３…形状維持ワイヤー
【図１】
2012120709.tif 000003
【図２】
2012120709.tif 000004
【図３】
2012120709.tif 000005
【図４】
2012120709.tif 000006
【図５】
2012120709.tif 000007